(57)【要約】      （修正有）【課題】アンチニュートンリング効果とアンチハイライト効果を兼ね備えた透明ラミネート板を提供する。【解決手段】透明ラミネート板は、複数の透明層がスタッキングして組成し、透明ラミネート層中には、少なくとも第一アンチニュートンリング面３１と第二アンチニュートンリング面４３を備え、両者は相互に平行を呈し、各アンチニュートンリング面３１、４３は、密着せず、相互に隣接するラミネート層の向かい合った面に設置する。又、前記第一アンチニュートンリング面３１と前記第二アンチニュートンリング面４３は、同一の透明ラミネート層の上、下表面に設置可能で、異なる透明ラミネート層の一表面にそれぞれ設置することもできる。【選択図】図１
0003153321.tif 000002
【実用新案登録請求の範囲】
【請求項１】
複数の透明層がスタッキングして組成し、
前記透明ラミネート層中には、少なくとも第一アンチニュートンリング面と第二アンチニュートンリング面を備え、
両者は相互に平行を呈し、前記各アンチニュートンリング面は、密着せず、相互に隣接するラミネート層の向かい合った面に設置することを特徴とする透明ラミネート板のアンチニュートンリング及びアンチハイライト構造。
【請求項２】
請求項１記載の透明ラミネート板のアンチニュートンリング及びアンチハイライト構造において、前記第一アンチニュートンリング面と前記第二アンチニュートンリング面は、異なる透明ラミネート層の一表面にそれぞれ設置することを特徴とする透明ラミネート板のアンチニュートンリング及びアンチハイライト構造。
【請求項３】
請求項２記載の透明ラミネート板のアンチニュートンリング及びアンチハイライト構造において、前記第一アンチニュートンリング面を設置する透明ラミネート層と、第二アンチニュートンリング面を設置する透明ラミネート層は共に、相同、或いは類似の光線屈折率を備えることを特徴とする透明ラミネート板のアンチニュートンリング及びアンチハイライト構造。
【請求項４】
請求項３記載の透明ラミネート板のアンチニュートンリング及びアンチハイライト構造において、前記第一アンチニュートンリング面を設置する透明ラミネート層と、第二アンチニュートンリング面を設置する透明ラミネート層は共に、相同、或いは類似の機械性質を備える光透過材料により製造することを特徴とする透明ラミネート板のアンチニュートンリング及びアンチハイライト構造。
【請求項５】
請求項４記載の透明ラミネート板のアンチニュートンリング及びアンチハイライト構造において、前記光透過材料は、酸化インジウムスズ、ガラス、ポリカーボネート、ポリエチレンテレフタレート、ポリメチルメタクリレートの内の一種であることを特徴とする透明ラミネート板のアンチニュートンリング及びアンチハイライト構造。
【請求項６】
請求項４記載の透明ラミネート板のアンチニュートンリング及びアンチハイライト構造において、前記第一アンチニュートンリング面と前記第二アンチニュートンリング面は、密着せず、相互に隣接するラミネート層の向かい合った面に設置することを特徴とする透明ラミネート板のアンチニュートンリング及びアンチハイライト構造。
【請求項７】
請求項１記載の透明ラミネート板のアンチニュートンリング及びアンチハイライト構造において、前記第一アンチニュートンリング面と前記第二アンチニュートンリング面は、同一の透明ラミネート層の上表面と下表面にそれぞれ設置することを特徴とする透明ラミネート板のアンチニュートンリング及びアンチハイライト構造。
【請求項８】
請求項１記載の透明ラミネート板のアンチニュートンリング及びアンチハイライト構造において、前記第一アンチニュートンリング面と前記第二アンチニュートンリング面の表面ラフ度は、約0.1μmから35μmの間であることを特徴とする透明ラミネート板のアンチニュートンリング及びアンチハイライト構造。
【考案の詳細な説明】
【技術分野】
【０００１】
本考案は透明ラミネート板のアンチニュートンリング及びアンチハイライト構造に関し、特に透明タッチパネル或いは液晶ディスプレーなどに応用可能で、複数の透明層をスタッキングして組成する透明ラミネート板構造で、パネル上でのニュートンリング、或いはハイライトなどの光干渉問題の発生を回避することができる透明ラミネート板のアンチニュートンリング及びアンチハイライト構造に関する。
【背景技術】
【０００２】
電気抵抗式、或いはキャパシター式タッチパネル、液晶ディスプレーなどの多数の透明層が重なって組成される一般の透明ラミネート板構造は、スタッキング層中に通常は、アンチニュートンリング薄膜を設置する。これにより、透明ラミネート板構造は、アンチニュートンリング(Anti Newton-Ring)効果を備え、使用時に、光干渉現象の発生を回避することができる。
【０００３】
現在知られている一般の、アンチニュートンリング薄膜構造は主に、薄膜層の一表面に複数の突起或いは窪んだ規則的或いは不規則な顆粒状、しわ状、或いは細い縞状の、でこぼこしたラフ面を設置し、或いは表面に窪んだ或いは突出下表面の細い模様を設置し、さらにはエンボス状に類似の表面構造を設置するものである。これにより、該表面を通過した光線は、部分屈折、散乱現象を生じ、これにより干渉しまの形成を破壊する。しかし、この種の表面の凹凸構造は、光線の集光/散乱作用を招き、不規則に分布する多数の集光ハイライトを表面に形成してしまう。しかも、これら白色のハイライトは、影像をぼかし、或いは変形させ、影像の識別、表示における困難を引き起こす。この主の現象は特に、解析度が高く、輝度が高い、最近よく見られるLCDディスプレーへの使用時に、さらに重大な影響を及ぼす。
【考案の概要】
【考案が解決しようとする課題】
【０００４】
本考案の目的は、アンチニュートンリング効果とアンチハイライト効果を兼ね備え、これにより投射光線に干渉現象が起きることで、影像の識別或いは影像の明晰度を減損する問題の発生を回避することができる透明ラミネート板のアンチニュートンリング及びアンチハイライト構造を提供することである。
【課題を解決するための手段】
【０００５】
本考案は下記の透明ラミネート板のアンチニュートンリング及びアンチハイライト構造を提供する。
透明ラミネート板は、複数の透明層がスタッキングして組成し、
該透明ラミネート層中には、少なくとも第一アンチニュートンリング面と第二アンチニュートンリング面を備え、
両者は相互に平行を呈し、該各アンチニュートンリング面は、密着せず、相互に隣接するラミネート層の向かい合った面に設置し、
該第一アンチニュートンリング面及び/或いは該第二アンチニュートンリング面の作用により、透明ラミネート板上のアンチニュートンリング干渉しまの発生を回避可能で、該第一アンチニュートンリング面と該第二アンチニュートンリング面の、各表面を通過する光線に対する複合作用の光調節効果を利用し、該第一アンチニュートンリング面を通過しハイライトを形成していた光線部分も、さらに該第二アンチニュートンリング面を通過する時には、ハイライトを形成していた各光線部分は、屈折及び/或いは散乱を経て、ハイライト消去効果(Highlights scattering effects)を達成し、集光ハイライトの干渉現象を大幅に低下させることができ、
該第一アンチニュートンリング面と該第二アンチニュートンリング面は、同一の透明ラミネート層の上、下表面にそれぞれ設置可能で、また異なる透明ラミネート層の一表面に設置することもでき、
該第一アンチニュートンリング面と該第二アンチニュートンリング面を、２枚の異なる透明ラミネート層に設置する時には、２枚の透明ラミネート層は共に、相同或いは類似の光線屈折率(index of refraction)を備え、及び機械性質を備える光透過材料であることが望ましく、
該光透過材料は、酸化インジウムスズ(ITO)、ガラス、ポリカーボネート(PC)、ポリエチレンテレフタレート(PET)、ポリメチルメタクリレート(PMMA)から選択し、
該第一アンチニュートンリング面と該第二アンチニュートンリング面の表面ラフ度(Ra)は、約0.1μmから35μmの間である。
【考案の効果】
【０００６】
本考案透明ラミネート板のアンチニュートンリング及びアンチハイライト構造は、アンチニュートンリング効果とアンチハイライト効果を兼ね備え、これにより投射光線に干渉現象が起きることで、影像の識別或いは影像の明晰度を減損する問題の発生を回避することができる。
【図面の簡単な説明】
【０００７】
【図１】本考案第一実施例の構成部材を組み合わせた様子を示す側面断面図である。
【図２】本考案第二実施例の側面断面図である。
【図３】本考案第三実施例の側面断面図である。
【図４】本考案第四実施例の側面断面図である。
【考案を実施するための形態】
【０００８】
図１に示すように、本考案は電気抵抗式タッチパネル構造に応用し、電気抵抗式タッチパネルは、タッチ膜層１、基板２、上方導電膜３、下方導電膜４を備える。タッチ膜層１は、撓み性を備える透明高分子薄膜で、基板２は、透明ガラス板で、上、下方導電膜３、４は共に、透明な酸化インジウムスズ（ITO）導電薄膜である。上方導電膜３は、タッチ膜層１の底表面に設置し、下方導電膜４は、基板２の上方表面に設置する。しかも、上、下方導電膜３、４の間には、多数のバンプ状の隔絶部品４１を設置し、これにより２枚の導電膜３、４の作用区域内には、間隔を残す。
【０００９】
通常、２枚の導電膜３、４の作用区域周囲には、接着フレーム４２を設置し、これによりタッチ膜層１と基板２とを、接着して重ね、一枚の板体とし、上、下方導電膜３、４は、ラミネート板体内に密封されて設置される。上方導電膜３の底表面には、第一アンチニュートンリング面３１を設置し、下方導電膜３の上表面には、第二アンチニュートンリング面４３を設置する。これにより、第一、第二アンチニュートンリング面３１、４３間は、密着せず、相互に向かい合って設置される。各アンチニュートンリング面の表面ラフ度(Ra)は約10μmである。
【００１０】
前記のタッチパネル構造を液晶ディスプレー(LCD)に使用する時には、LCDが投射する光線は、基板２と下方導電膜４を通過する。その後、第二アンチニュートンリング面４３の作用により、投射光線は、タッチパネル上において、ニュートンリング干渉しまの発生を回避することができる。次に、投射光線はさらに、上方導電膜３の第一アンチニュートンリング面３１を通過し、こうして、投射光線は多重のラフ表面による屈折及び/或いは散乱の複合作用を経由する。これにより、タッチパネル上に発生するハイライト干渉現象を消去することができる。
【００１１】
上記した構造中には、２枚のアンチニュートンリング面を備えるため、ニュートンリング干渉防止の相乗効果を発揮することができる。また、相同のアンチニュートンリング性能を備えるとの条件では、個別のアンチニュートンリング面の表面ラフ度は、単一層式アンチニュートンリング面の表面ラフ度よりも低いため、透明ラミネート板の透明度を高めることができる。さらに、本実施例中での各アンチニュートンリング面３１、４３は、相同機械性質の材料上に設置するため、作動中に、相互に接触、或いは摩擦が発生した時にも、接触部位の損傷を軽減することができる。
【００１２】
本考案は上記した第一実施例の他に、多種の応用が可能である。
図２に示す本考案第二実施例では、第一アンチニュートンリング面３１は、タッチ膜層１の上方表面に設置され、第二アンチニュートンリング面４３は、基板２の底表面に設置される。
図３に示す本考案第三実施例では、第一アンチニュートンリング面３１は、タッチ膜層１の上方表面に設置され、第二アンチニュートンリング面４３は、上方導電膜３の底表面に設置される。
図４に示す本考案第四実施例では、第一アンチニュートンリング面３１は、上方導電膜３の底表面に設置され、第二アンチニュートンリング面４３は、基板２の底表面に設置される。
【符号の説明】
【００１３】
１  タッチ膜層
２  基板
３  上方導電膜
３１  第一アンチニュートンリング面
４  下方導電膜
４１  隔絶部品
４２  接着フレーム
４３  第二アンチニュートンリング面
【図１】
0003153321.tif 000003
【図２】
0003153321.tif 000004
【図３】
0003153321.tif 000005
【図４】
0003153321.tif 000006
【手続補正書】
【提出日】平成21年6月22日(2009.6.22)
【手続補正１】
【補正対象書類名】実用新案登録請求の範囲
【補正対象項目名】全文
【補正方法】変更
【補正の内容】
【実用新案登録請求の範囲】
【請求項１】
透明ラミネート板は複数の透明ラミネート層により組成され、
前記透明ラミネート層中には、少なくとも第一アンチニュートンリング面と第二アンチニュートンリング面を備え、
両者は相互に平行を呈し、前記各アンチニュートンリング面は、密着せず、相互に隣接する透明ラミネート層の向かい合った面に設置することを特徴とする透明ラミネート板のアンチニュートンリング及びアンチハイライト構造。
【請求項２】
請求項１記載の透明ラミネート板のアンチニュートンリング及びアンチハイライト構造において、前記第一アンチニュートンリング面と前記第二アンチニュートンリング面は、異なる透明ラミネート層の一表面にそれぞれ設置することを特徴とする透明ラミネート板のアンチニュートンリング及びアンチハイライト構造。
【請求項３】
請求項２記載の透明ラミネート板のアンチニュートンリング及びアンチハイライト構造において、前記第一アンチニュートンリング面を設置する透明ラミネート層と、第二アンチニュートンリング面を設置する透明ラミネート層は共に、相同、或いは類似の光線屈折率を備えることを特徴とする透明ラミネート板のアンチニュートンリング及びアンチハイライト構造。
【請求項４】
請求項３記載の透明ラミネート板のアンチニュートンリング及びアンチハイライト構造において、前記第一アンチニュートンリング面を設置する透明ラミネート層と、第二アンチニュートンリング面を設置する透明ラミネート層は共に、相同、或いは類似の機械性質を備える光透過材料により製造することを特徴とする透明ラミネート板のアンチニュートンリング及びアンチハイライト構造。
【請求項５】
請求項４記載の透明ラミネート板のアンチニュートンリング及びアンチハイライト構造において、前記光透過材料は、酸化インジウムスズ、ガラス、ポリカーボネート、ポリエチレンテレフタレート、ポリメチルメタクリレートの内の一種であることを特徴とする透明ラミネート板のアンチニュートンリング及びアンチハイライト構造。
【請求項６】
請求項４記載の透明ラミネート板のアンチニュートンリング及びアンチハイライト構造において、前記第一アンチニュートンリング面と前記第二アンチニュートンリング面は、密着せず、相互に隣接する透明ラミネート層の向かい合った面に設置することを特徴とする透明ラミネート板のアンチニュートンリング及びアンチハイライト構造。
【請求項７】
請求項１記載の透明ラミネート板のアンチニュートンリング及びアンチハイライト構造において、前記第一アンチニュートンリング面と前記第二アンチニュートンリング面は、同一の透明ラミネート層の上表面と下表面にそれぞれ設置することを特徴とする透明ラミネート板のアンチニュートンリング及びアンチハイライト構造。
【請求項８】
請求項１記載の透明ラミネート板のアンチニュートンリング及びアンチハイライト構造において、前記第一アンチニュートンリング面と前記第二アンチニュートンリング面の表面ラフ度は、約0.1μmから35μmの間であることを特徴とする透明ラミネート板のアンチニュートンリング及びアンチハイライト構造。